(57)【要約】【課題】デジタル情報を処理できる複数の機器を支援するＤＲＭ技術のライセンス方法を提供すること。【解決手段】ライセンス情報を含むコンテンツを転送するが、ライセンス情報は、コンテンツの再生可能な２つ以上の機器に対するそれぞれの固有の識別子を含むステップ１と、コンテンツを受信し、ライセンス情報から前記識別子を抽出するステップ２と、抽出した識別子のうち、自分の識別子と同じ識別子が存在する場合、コンテンツを再生するステップ３とを含むことを特徴とする。【選択図】図５
2005092851.tif 000002
【特許請求の範囲】
【請求項１】
ＤＲＭ環境において、
ライセンス情報を含むコンテンツを転送するが、前記ライセンス情報は、前記コンテンツの再生可能な２つ以上の機器に対するそれぞれの固有の識別子を含むステップ１と、
前記コンテンツを受信し、前記ライセンス情報から前記識別子を抽出するステップ２と、
前記抽出した識別子のうち、自分の識別子と同じ識別子が存在する場合、前記コンテンツを再生するステップ３と
を含むことを特徴とするＤＲＭ技術のライセンス方法。
【請求項２】
ＤＲＭ環境において、
ライセンス情報を含むコンテンツを転送するが、前記ライセンス情報は、前記コンテンツの再生可能な２つ以上の機器が属する論理領域を区別する固有の識別子を含むステップ１と、
前記コンテンツを受信し、前記ライセンス情報から前記識別子を抽出するステップ２と、
前記抽出した識別子が該当の機器の属する領域の識別子と同じである場合、前記コンテンツを再生するステップ３と
を含むことを特徴とするＤＲＭ技術のライセンス方法。
【請求項３】
ＤＲＭ環境において、
ライセンス情報を含むコンテンツを転送するが、前記ライセンス情報は、前記コンテンツを再生する回数を示す再生回数情報を含むステップ１と、
前記コンテンツを受信し、前記ライセンス情報から前記再生回数情報を抽出するステップ２と、
前記抽出した再生回数情報から前記受信したコンテンツを再生できることが確認されると、前記コンテンツを再生するステップ３と、
変更された再生回数情報やライセンスを他の機器に伝達し、前記他の機器で前記変更された再生回数情報を抽出してコンテンツを使用するステップ４とを含むことを特徴とするＤＲＭ技術のライセンス方法。
【請求項４】
ＤＲＭ環境において、
ライセンス情報を含むコンテンツを転送するが、前記ライセンス情報は、前記コンテンツの再生可能な機器の数を示す機器数情報を含むステップ１と、
前記コンテンツを受信し、前記ライセンス情報から前記機器数情報を抽出するステップ２と、
前記抽出した機器数情報から前記受信したコンテンツを再生できることが確認されると、前記コンテンツを再生するステップ３と、
変更された機器数情報やライセンスを他の機器に伝達し、前記他の機器で前記変更された機器数情報を抽出してコンテンツを使用するステップ４と
を含むことを特徴とするＤＲＭ技術のライセンス方法。
【請求項５】
ＤＲＭ環境において、
コンテンツの再生可能な２つ以上の機器が属する論理領域を管理するサーバがコンテンツや該コンテンツに対するライセンス情報を受信するステップ１と、
前記各機器から前記コンテンツが要求されると、前記サーバが前記ステップ１で受信したライセンス情報を確認するステップ２と、
前記ステップ２から正当なライセンスであると確認されると、前記サーバは、前記機器に要求されたコンテンツを提供し、自分のライセンス情報の状態値を更新するステップ３と
を含むことを特徴とするＤＲＭ技術のライセンス方法。
【請求項６】
前記ライセンス情報は、前記コンテンツを再生する回数を示す再生回数情報であることを特徴とする請求項５に記載のＤＲＭ技術のライセンス方法。
【請求項７】
前記ライセンス情報は、コンテンツの再生可能な機器の数を示す機器数情報であることを特徴とする請求項５に記載のＤＲＭ技術のライセンス方法。
【請求項８】
前記ライセンス情報は、コンテンツの再生可能な総時間を示すコンテンツ再生時間情報であることを特徴とする請求項５に記載のＤＲＭ技術のライセンス方法。
【請求項９】
ＤＲＭ環境において、
コンテンツの再生可能な２つ以上の機器が属する論理領域を管理するサーバがコンテンツや該コンテンツに対するライセンス情報を受信するステップ１と、
前記ステップ１で受信したライセンス情報を前記領域に属する機器別に分割するステップ２と、
前記ステップ２で分割されたライセンス情報やステップ１で受信したコンテンツを該当の機器に転送するステップ３と、
前記ステップ３から受信した分割されたライセンス情報に基づいてコンテンツを再生するステップ４と
を含むことを特徴とするＤＲＭ技術のライセンス方法。
【請求項１０】
前記ライセンス情報は、前記コンテンツを再生する回数を示す再生回数情報であることを特徴とする請求項９に記載のＤＲＭ技術のライセンス方法。
【請求項１１】
前記ライセンス情報は、コンテンツの再生可能な機器の数を示す機器数情報であることを特徴とする請求項９に記載のＤＲＭ技術のライセンス方法。
【請求項１２】
前記ライセンス情報は、コンテンツの再生可能な総時間を示すコンテンツ再生時間情報であることを特徴とする請求項９に記載のＤＲＭ技術のライセンス方法。
【発明の詳細な説明】
【技術分野】
【０００１】
本発明は、ＤＲＭ（デジタル著作権管理）技術のライセンスに関し、より詳しくは、デジタル情報を処理できる複数の機器を支援するＤＲＭ技術のライセンス方法に関する。
【背景技術】
【０００２】
一般に、従来のＤＲＭ技術においては、需要者が購入したコンテンツや当該のコンテンツに対するライセンスの内容により、１つの機器でのみ再生が可能であった。
即ち、従来のＤＲＭ環境では、需要者がコンテンツプロバイダ(contents provider)からコンテンツの供給を受け、前記コンテンツに該当するライセンスを購入していた。このとき、ライセンスは、１つの機器に対してのみ適用できるようになっているが、ここでは、デバイスバインディング(device binding)方式やユーザバインディング(user binding)方式のものがある。
【０００３】
デバイスバインディング方式は、需要者の購入したライセンスが機器(device)に従属され、該当する機器でのみコンテンツの再生を可能とする方式である。また、ユーザバインディングの方式は、購入したライセンスがユーザに従属されるものであり、例えば、ＳＩＭ(Subscriber Identification Module)カードまたはスマートカードなどを用いる方法がある。
【０００４】
図１は、従来の一般的なＤＲＭライセンスの構造を示す図であり、ＸＭＬ(eXtensible Markup Language)を用いて表現している。
図示のように、１ライン〜５ラインでは、ＤＲＭライセンスの開始を示しており、ＸＭＬの解析のための情報を示すＸＭＬネームスペースについての情報を記述している。
６ライン〜８ラインでは、ＤＲＭライセンスの適用されるＤＲＭシステムのバージョン情報を記述している。
９ライン〜２１ラインでは、コンテンツ情報やＤＲＭライセンスの具体的な内容を含み、それぞれ<asset>エレメントと<permission>エレメントとで表現している。
【０００５】
<asset>エレメントは、１１ライン〜１３ラインにおいて、ＤＲＭライセンスの適用されるコンテンツの識別子(identifier)を記述しており、１４ライン〜１６ラインにおいては、暗号化されたコンテンツを復号できるコンテンツの暗号鍵(Content Encryption Key、CEK)情報を記述している。
<permission>エレメントは、１８ライン〜２０ラインにおいて、コンテンツの再生が可能であることを記述している。
【０００６】
図２は、従来の一般的なＤＲＭライセンスの他の構造を示す図であり、１９ライン〜２３ラインでは、コンテンツを再生できるが、１回のみ許容していることを記述している。２０ラインの<constraint>エレメントは、<count>エレメントの他にも<interval>、<accumulated>、<start>、<end>のようなエレメントを含んでもよい。
<interval>エレメントは、コンテンツの使用可能な期間を示し、その開始時点は、コンテンツを最初に使用した時点である。例えば、<interval>エレメントの値が「１０ｄ」に表されると、コンテンツを最初に使用した時点から１０日の間、当該のコンテンツを自由に使用することができる。
【０００７】
<accumulated>エレメントは、コンテンツの最大使用の蓄積時間を意味する。例えば、<accumulated>エレメントが「１０ｈ」に表されると、全体のコンテンツの再生時間が１０時間以上となってはならないということを意味する。
<start>や<end>エレメントは、共に記述されるが、<start>エレメントで指定する日付から<end>で指定する日付まで自由に使用できることを記述している。
【０００８】
現在ＤＲＭに関する代表的な技術としては、マイクロソフト社のＤＲＭ、ＯＭＡ ＤＲＭなどがあり、一般に、ライセンスのバインディングされた単一の機器でのみコンテンツの再生を可能となっているため、使用者が複数の機器を所有している場合には、１つのコンテンツやこれに該当するライセンスを用いて様々な機器でコンテンツを再生できないという不便があった。
【発明の開示】
【発明が解決しようとする課題】
【０００９】
本発明は、上記問題点に鑑みなされたものであり、様々な機器でデジタルコンテンツを再生できるライセンス構造を提示し、前記構造を用いて様々な機器でデジタルコンテンツを再生できる、複数の機器を支援するＤＲＭ技術のライセンス方法を提供することを目的とする。
【課題を解決するための手段】
【００１０】
上記の目的を達成するため、本発明の実施形態に係る複数の機器を支援するＤＲＭ技術のライセンス方法は、ライセンス情報を含むコンテンツを転送するが、前記ライセンス情報は、前記コンテンツの再生可能な２つ以上の機器に対するそれぞれの固有の識別子を含むステップ１と、前記コンテンツを受信し、前記ライセンス情報から前記識別子を抽出するステップ２と、前記抽出した識別子のうち、自分の識別子と同じ識別子が存在する場合、前記コンテンツを再生するステップ３とを含むことを特徴とする。
【００１１】
また、本発明の実施形態に係る複数の機器を支援するＤＲＭ技術のライセンス方法は、ライセンス情報を含むコンテンツを転送するが、前記ライセンス情報は、前記コンテンツの再生可能な２つ以上の機器が属する論理領域を区別する固有の識別子を含むステップ１と、前記コンテンツを受信し、前記ライセンス情報から前記識別子を抽出するステップ２と、前記抽出した識別子が該当の機器の属する領域の識別子と同じである場合、前記コンテンツを再生するステップ３とを含むことを特徴とする。
【００１２】
また、本発明の実施形態に係る複数の機器を支援するＤＲＭ技術のライセンス方法は、ライセンス情報を含むコンテンツを転送するが、前記ライセンス情報は、前記コンテンツを再生する回数を示す再生回数情報を含むステップ１と、前記コンテンツを受信し、前記ライセンス情報から前記再生回数情報を抽出するステップ２と、前記抽出した再生回数情報から前記受信したコンテンツを再生できることが確認されると、前記コンテンツを再生するステップ３と、使用した再生回数または使用する再生回数を除いて残っている再生回数情報（変更された再生回数情報）やライセンスを他の機器に伝達し、前記他の機器で前記変更された再生回数情報を抽出して使用するステップ４とを含むことを特徴とする。
【００１３】
一方、本発明の実施形態に係る複数の機器を支援するＤＲＭ技術のライセンス方法は、ライセンス情報を含むコンテンツを転送するが、前記ライセンス情報は、前記コンテンツの再生可能な機器の数を示す機器数情報を含むステップ１と、前記コンテンツを受信し、前記ライセンス情報から前記機器数情報を抽出するステップ２と、前記抽出した機器数情報から前記受信したコンテンツを再生できることが確認されると、前記コンテンツを再生するステップ３と、使用した機器または使用する機器の数を除いて残っている機器数情報（変更された機器数情報）やライセンスを他の機器に伝達し、前記他の機器で前記変更された機器数情報を抽出して使用するステップ４とを含むことを特徴とする。
【００１４】
また、本発明の実施形態に係る複数の機器を支援するＤＲＭ技術のライセンス方法は、コンテンツの再生可能な２つ以上の機器が属する論理領域を管理するサーバがコンテンツや該コンテンツに対するライセンス情報を受信するステップ１と、前記各機器から前記コンテンツが要求されると、前記サーバが前記ステップ１で受信したライセンス情報を確認するステップ２と、前記ステップ２から正当なライセンスであると確認されると、前記サーバは、前記機器に要求されたコンテンツを提供し、自分のライセンス情報の状態値を更新するステップ３とを含むことを特徴とする。このとき、好ましくは、ライセンス情報は、前記コンテンツを再生する回数を示す再生回数情報、または、コンテンツの再生可能な機器の数を示す機器数情報、あるいは、コンテンツの再生可能な総時間を示すコンテンツ再生時間情報であることを特徴とする。
【００１５】
一方、本発明の実施形態に係る複数の機器を支援するＤＲＭ技術のライセンス方法は、コンテンツの再生可能な２つ以上の機器が属する論理領域を管理するサーバがコンテンツや該コンテンツに対するライセンス情報を受信するステップ１と、前記ステップ１で受信したライセンス情報を前記領域に属する機器別に分割するステップ２と、前記ステップ２で分割されたライセンス情報やステップ１で受信したコンテンツを該当の機器に転送するステップ３と、前記ステップ３から受信した分割されたライセンス情報に基づいてコンテンツを再生するステップ４とを含むことを特徴とする。このとき、好ましくは、前記ライセンス情報は、前記コンテンツを再生する回数を示す再生回数情報、または、コンテンツの再生可能な機器の数を示す機器数情報、あるいは、コンテンツの再生可能な総時間を示すコンテンツ再生時間情報であることを特徴とする。
【発明の効果】
【００１６】
このような本発明による複数の機器を支援するＤＲＭ技術のライセンス方法によれば、ＤＲＭのコンテンツの再生のためのライセンス構造を用いて、前記コンテンツを複数の機器で再生できるようにし、コンテンツの利用者は、様々なＤＲＭ環境でより便利にコンテンツを利用できる効果を有する。
【発明を実施するための最良の形態】
【００１７】
以下、本発明の好ましい実施形態を、添付図面に基づいて詳しく説明する。
一方、ＤＲＭライセンスは、その状態値が変化する場合と、変化しない場合とに分けて考えられる。即ち、<start>、<end>エレメントを記述する場合には、該当の期間の間にコンテンツを使用できるため、該当の値が変化しない。しかし、図２の２１ラインのように、コンテンツの使用回数を制限している場合には、前記コンテンツを使用するたびにその値が変化することになる。本発明では、このように、ＤＲＭライセンスの状態値が変化する場合と変化しない場合とにそれぞれ適用できる方法について説明する。また、後述するＤＲＭライセンス構造は、ＤＲＭ環境により、ＸＭＬで表現されたり、別のオブジェクト(object)またはデータ構造として具現できる。
【００１８】
図３は、本発明の実施形態によりＤＲＭライセンス構造に複数の機器の識別子を記述する方法を示す図であり、コンテンツの再生可能な機器の固有の識別子を記述する方法を示している。従って、ＤＲＭライセンス構造に記述された機器の識別子に対応する機器のみにコンテンツを利用できる権利が与えられる。即ち、ＤＲＭ機能を有する機器を所有している使用者は、様々な機器で再生できる事項が記述されたライセンス構造をライセンス提供者から購入する。前記ライセンス構造には、コンテンツの再生可能な機器の固有の識別子が記述されている。従って、各機器は、前記ライセンス構造に記述された機器の識別子が自分のものと一致すると、該当のコンテンツを再生することができる。このような方法は、ＤＲＭライセンスの状態値の変化しない構造に好適に適用できる。
【００１９】
図４は、本発明の実施形態によりＤＲＭライセンス構造に特定のドメイン識別子を記述する方法を示す図であり、コンテンツの再生可能な機器を含む特定のドメインの固有の識別子を記述する方法である。従って、ＤＲＭライセンス構造に記述されたドメイン識別子に対応するドメインに含まれる機器のみにコンテンツを利用できる権利が与えられる。このような方法は、ＤＲＭライセンスの状態値の変化しない構造に好適に適用できる。
【００２０】
図３または図４に示す構造は、コンテンツプロバイダまたは別のライセンス提供者により提供され、使用者側に別のＤＲＭサーバを設置する必要がない。
図５は、本発明の実施形態によりＤＲＭサーバを中心としてＤＲＭライセンスを管理する方法を示す図である。
【００２１】
即ち、識別可能なドメイン５００には、コンテンツの再生可能な種々の機器５３０、５４０、５５０と、外部から受信するコンテンツのライセンスを管理するＤＲＭサーバ５２０とを備えている。一方、ライセンス提供者５１０は、該当のコンテンツに対するライセンス構造５６０を提供するが、前記コンテンツを提供するコンテンツプロバイダが該当のコンテンツと共にライセンス構造を提供することもできる。前記ＤＲＭサーバ５２０は、ライセンスと、これに関連するライセンス状態情報とを管理する。従って、図５に示すＤＲＭライセンス管理方法は、ライセンスの状態値の変化に関わらず、適用することができる。
【００２２】
先ず、ＤＲＭサーバ５２０と機器５３０、５４０、５５０との間で認証過程を行うことにより、前記ドメイン５００内に属する正当な機器であるか否かを確認する。その後、ＤＲＭサーバ５２０と機器５３０、５４０、５５０との間で送受信する情報の保護のために、暗号鍵を生成する過程を経ることになり、機器は、ＤＲＭサーバ５２０にコンテンツの使用を要求する。ＤＲＭサーバ５２０は、前記要求により、コンテンツの使用を要求した機器がＤＲＭサーバ５２０のライセンス構造に記述されている機器であるか否かを確認する。ライセンス構造に記述されている機器であると確認されると、機器がコンテンツを再生できるようにし、これによるライセンスの状態値を修正する。
【００２３】
一方、前記ＤＲＭサーバ５２０がライセンス権を自分の管理している機器５３０、５４０、５５０に分割して提供すると、前記機器５３０、５４０、５５０は、割り当てられた権限内でコンテンツを利用することができる。例えば、前記ライセンス権が再生時間に関するものである場合、それぞれの機器５３０、５４０、５５０別の再生可能時間を分割して割り当てる。さらに他の例として、再生可能回数に関するものである場合、それぞれの機器５３０、５４０、５５０別の再生可能回数を分割して割り当てることもできる。
【００２４】
図６は、本発明の実施形態によりコンテンツを再生する機器の数を制限するためのＤＲＭライセンス構造を示す図である。即ち、ＤＲＭライセンス構造にコンテンツの再生可能な機器の識別子を記述せず、コンテンツを再生する機器の数について情報を記述し、図５に示すＤＲＭサーバ５２０が機器の数を管理する方式である。図６には、最大の場合、五つの機器までにコンテンツの再生を許容していることを示している。図６に示すように、機器の数を指定する方法は、機器の固有の識別子を正確に分かっていないときや、新しい機器を追加または除去するときにもＤＲＭサーバ５２０が効率よくライセンスを管理することができる。
【００２５】
以上のように、上記実施形態を参照して詳細に説明され図示されたが、本発明は、これに限定されるものでなく、このような本発明の基本的な技術的思想を逸脱しない範囲内で、当業界の通常の知識を有する者にとっては、他の多くの変更が可能であろう。また、本発明は、添付の特許請求の範囲により解釈されるべきであることは言うまでもない。
【図面の簡単な説明】
【００２６】
【図１】従来の一般的なＤＲＭライセンス構造の一例を示す図である。
【図２】従来の一般的なＤＲＭライセンス構造の他の例を示す図である。
【図３】本発明の実施形態によりＤＲＭライセンス構造に複数の機器の識別子を記述する方法を示す図である。
【図４】本発明の実施形態によりＤＲＭライセンス構造に特定のドメイン識別子を記述する方法を示す図である。
【図５】本発明の実施形態によりＤＲＭサーバを中心としてＤＲＭライセンスを管理する方法を示す図である。
【図６】本発明の実施形態によりコンテンツを再生する機器の数を制限するためのＤＲＭライセンス構造を示す図である。
【符号の説明】
【００２７】
５１０…ＤＲＭサービス提供者
５２０…ＤＲＭサーバ
５３０、５４０、５５０…機器
５６０…ライセンス構造
【図１】
2005092851.tif 000003
【図２】
2005092851.tif 000004
【図３】
2005092851.tif 000005
【図４】
2005092851.tif 000006
【図５】
2005092851.tif 000007
【図６】
2005092851.tif 000008